(57)【要約】      （修正有）【課題】グラウンドゴルフ等のゴルフ用マーカーを保持するマーカーホルダーであって、プラスチック製のマーカーを保持でき、金属製のマーカーも確実に保持できるマーカーホルダーを提供する。【解決手段】ホルダー本体２は可撓性のある折り曲げ可能な材料で帯状体に形成されている。その一方側の表面には面ファスナー７が設けられ、内部には磁石８が設けられ、他方側の内部には磁石９が設けられている。マーカーはプラスチック材料若しくは金属材料で形成されている。プラスチック製のマーカーには、上記ホルダー本体２の面ファスナー７に噛み合う面ファスナーが設けられている。【選択図】図２
0003221140.tif 000002
【実用新案登録請求の範囲】
【請求項１】
ゴルフ用マーカーと、該マーカーを保持するホルダー本体を具備し、上記マーカーは芝刈り機に損傷を当てない硬質性材料若しくは金属材料で形成され、上記ホルダー本体は一方側に面ファスナーを有し、他方側に磁石を有し、上記硬質性マーカーには上記面ファスナーに係合する面ファスナーが設けられていることを特徴とするゴルフ用マーカーホルダー。
【請求項２】
上記マーカーにはリボンが設けられ、該リボンは面ファスナーテープで構成されている請求項１に記載のゴルフ用マーカーホルダー。
【請求項３】
上記ホルダー本体は可撓性材料で折り曲げ可能に設けられた帯状体に形成され、ホルダー本体の一方側の表面には面ファスナーが設けられ、内面には磁石が設けられ、ホルダー本体の他方側の内面には磁石が設けられている請求項１又は２に記載のゴルフ用マーカーホルダー。      
【請求項４】
上記硬質性マーカーは、プラスチック製マーカーである請求項１から３のいずれかに記載のゴルフ用マーカーホルダー。
【考案の詳細な説明】
【技術分野】
【０００１】
本考案は、グラウンドゴルフやゴルフにおいて、ボールの位置を示すマーカーを保持するマーカーホルダーに関するものである。
【背景技術】
【０００２】
グラウンドゴルフやゴルフにおいて、打球の位置を示すためにグラウンドに置くためのマーカーが使用されている。従来は、マーカーを金属材料で作り、不使用時はゴルフキャップの庇等に設けた磁石のマーカーホルダーに磁着させて保持するものが多く使用されている。
【０００３】
従来グラウンドゴルフは土面のコートで競技されることが多かったが、近年グラウンドゴルフにおいてもゴルフと同じように天然芝のコートを使用することがあり、このような場合には、金属製のマーカーの使用を禁止する施設が増えてきている。金属製のマーカーがコートに残っていると、芝刈りするときに芝刈り機の刃にマーカーが当たり、芝刈り機の刃を損傷したり、付近に飛び散って危険なこともあるからである。そのため、そのような場所では、金属製のマーカーに代えてプラスチック製のマーカーの使用を指示されている。しかし、プラスチック材料は、一般的に、磁石に着磁しないから、従来のマーカーホルダーには取り付けることができなくなり、いままでのマーカーホルダーを使用できず、プレーヤーはプラスチック製マーカーの保持に困っていた。ゴルフ用具として、帽子の庇等に装着されるブラケットに磁石や面ファスナーを設けて筆記具とマーカーを磁石や面ファスナーで一体的に保持できるようにしたものが提案されている(例えば特許文献１参照)。しかし、特許文献１に記載のマーカーは、磁石にも磁着する構造であるから、金属製であり、プラスチック製マーカーを対象とするものではなく、また面ファスナーと磁石をブラケットの垂直板の同じ個所に設ける構成であるため、天然芝や土面があらわれているようなコートの場合、金属製マーカーを面ファスナーが有る面に保持させるような事態が生じると、マーカーと磁石マーカーの間隔が離れて保持が不確実になり、脱落するおそれがある。
【先行技術文献】
【特許文献】
【０００４】
【特許文献１】特開平２００６−１６７０１２号公報（請求項３、００１６から００１９、図１、図２）
【考案の概要】
【考案が解決しようとする課題】
【０００５】
本考案の解決課題は、グラウンドゴルフ等に使用されるマーカーを保持するマーカーホルダーであって、プラスチック製マーカー等の芝刈り機に損傷を与えない硬質性マーカーを保持することができ、かつ金属製のマーカーも確実に保持できるようにしたゴルフ用マーカーホルダーを提供することである。
【課題を解決するための手段】
【０００６】
本考案によれば、ゴルフ用マーカーと、該マーカーを保持するホルダー本体を具備し、上記マーカーは芝刈り機に損傷を与えない硬質性材料若しくは金属材料で形成され、上記ホルダー本体は一方側に面ファスナーを有し、他方側に磁石を有し、上記硬質性マーカーには上記面ファスナーに係合する面ファスナーが設けられていることを特徴とするゴルフ用マーカーホルダーが提供され、上記課題が解決される。
【０００７】
また、本考案によれば、上記マーカーにはリボンが設けられ、該リボンに面ファスナーが設けられ、上記ホルダー本体は可撓性材料で折り曲げ可能に設けられた帯状体に形成され、ホルダー本体の一方側の内面には磁石が設けられ、表面には面ファスナーが設けられ、他方側の内面には磁石が設けられている上記ゴルフ用マーカーホルダーが提供される。
【考案の効果】
【０００８】
本考案は上記のように構成され、ホルダー本体の一方側に、面ファスナーを設けるとともにプラスチック製マーカー等の芝刈り機に損傷を与えない硬質性のマーカーに面ファスナーを設けたので、コートから取り上げたプラスチック製マーカーをホルダー本体の面ファスナーに係合させて簡単に取り付けることができ、プレーヤーがマーカーの保持場所に悩むことがない。
【０００９】
さらに、上記ホルダー本体の他方側には、磁石を設けてあるので、金属製のマーカーであっても従来のように保持させることができる。ホルダー本体を可撓性材料で折り曲げ可能に形成すると、帽子の庇や衣服のポケット等に簡単に装着でき、しかも土面や天然芝等、使用する場所に応じて、マーカー本体を付着させやすい庇等の上面側に、面ファスナー若しくは磁石のいずれかの取付面を選択的に位置させることができ、使いやすい。
【図面の簡単な説明】
【００１０】
【図１】本考案の一実施例を示す正面図。
【図２】一部省略拡大断面図。
【図３】マーカーの斜視図。
【図４】帽子に装着した状態の斜視図。
【図５】取付け状態を示す説明図。
【考案を実施するための形態】
【００１１】
図面は本考案をグラウンドゴルフ用のマーカーホルダーに適用した一実施例を示し、ゴルフ用マーカー１と、該マーカー１を保持するホルダー本体２を具備する。上記マーカー１は、従来のように、金属材料で形成したり、プラスチック材料、ゴム材料、木材料、厚紙材料その他の芝刈り機に損傷を与えない硬質性材料で形成され、好ましくは図３に示すように、略円板状のプラスチック材料で形成され、平面部に取付スリット３を設け、このスリット３にリボン４を挿通し、端部を縫着５して固定してある。そして、プラスチック製マーカー１の場合には、図３に示すようにリボン４をテープ状の面ファスナー６で構成したり、リボン基片の裏面側に面ファスナーを設けたり、マーカー１の裏面に面ファスナーを直接設けてある(図示略)。
【００１２】
上記ホルダー本体２は、合成皮革、布その他の可撓性のある折り曲げ可能な材料で帯状体に形成され、一方側の表面に面ファスナー７を設け、内部に磁石８を内蔵し、他方側の内面にも磁石９を内蔵させてあり、上記プラスチック製マーカー１に形成した上記面ファスナー６が該面ファスナー７に係合する。公知のように、面ファスナーはオス型、メス型が噛み合うことにより係合し、実施例ではリボン側をオス型としてあるが、オス型、メス型をマーカー側、ホルダー本体側のいずれに設けてもよい。
【００１３】
上記の構成により、帽子１０の庇１１に装着する際は、図４に示すように、ホルダー本体２を折り曲げて両端部に内蔵した磁石８、９により庇の両面側から磁着させればよい。そして、面ファスナー７が庇の表面に現れているときには、この面ファスナー７に、プラスチック製マーカー１に設けた面ファスナー６を磁着させれば簡単かつ確実に、マーカーを保持することができる(図５参照)。金属製のマーカーの場合は、庇の裏面側に位置する磁石に着磁させればよい。
【００１４】
コートが土面の場合には、図４と反対に磁石９側が庇１１の表面側になるように、庇等に装着すれば金属製のマーカーの取付けが容易である
【符号の説明】
【００１５】
１      マーカー
２      ホルダー本体
３      取付スリット
４      リボン
６、７  面ファスナー
８、９  磁石
【図１】
0003221140.tif 000003
【図２】
0003221140.tif 000004
【図３】
0003221140.tif 000005
【図４】
0003221140.tif 000006
【図５】
0003221140.tif 000007